(57)【要約】【課題】  ユーザが任意に可視情報を光ディスクのラベル面に描画することのできる光ディスクのラベル描画システムを提供する。【解決手段】  光ディスク表裏検出部１３にて光ディスクの表裏を判別し、ラベル面であればシステムコントローラ１９により光ディスク描画回路１６を稼働させるようにする。ユーザによりラベル入力部１８を操作してＴＥＸＴを入力するか、あるいはあらかじめシステムコントローラ１９にキャラクタを用意しておき、選択決定されたラベル描画信号は、システムコントローラ１９により光ディスク１１の回転に同期した信号に整えられた後、描画回路１６によりラベル描画に適したレベルにして光ピックアップ１２に供給するようにする。【選択図】      図１
2005339748.tif 000002
【特許請求の範囲】
【請求項１】
光ディスク記録再生装置の光ピックアップのレーザ光と、光ディスクのラベル面に光または熱で変色する薬剤で全面塗布した光ディスクとを用いて、前記光ディスクのラベル面に可視情報を描画するようにした光ディスクのラベル描画システムであって、
前記光ディスクを前記光ディスク記録再生装置に挿入した際、挿入された前記光ディスクの裏表を判別するための光ディスク表裏検出部と、
前記光ディスクのラベルに描画する情報を入力するためのラベル入力部と、
前記ラベル入力部により入力された情報を前記光ディスクの回転に同期した信号に整えるための制御手段と、
前記制御手段により得られた情報を前記光ピックアップに供給するための描画回路と、
を少なくとも有し、
前記光ディスク表裏検出部により前記光ディスクがラベル面であると検出された際には、前記ラベル入力部により入力された情報を前記制御手段と描画回路とにより前記前記光ディスクのラベル面に可視情報を描画するようにしたことを特徴とする光ディスクのラベル描画システム。
【発明の詳細な説明】
【技術分野】
【０００１】
本発明は光ディスクのラベル描画システムに関し、特に光ディスク再生装置あるいは記録装置の光ピックアップのレーザ光を用いた光ディスクのラベル描画システムに関する。
【背景技術】
【０００２】
従来、光ディスクの種別をユーザが容易に識別できるように光ディスクのラベル面に目視可能な識別部分を設ける提案がされている（例えば、特許文献１参照。）。この特許文献１によれば、光ディスク装置に光ディスクが装着されている状態においても、光ディスク装置外部からこの識別情報がユーザに表示できるようにしている。
【０００３】
また、高品位な可視情報を光ディスクのラベル面の下層に備え、可視情報の偽造を困難にした提案がされている（例えば、特許文献２参照。）。
【０００４】
更には、光ディスクのラベル面に直接、あるいは光ディスクのラベル状の用紙に印刷して光ディスクのラベルが作成できるようにしたプリンタが商品化されている。
【０００５】
【特許文献１】特開平８−１７１７４２号公報
【特許文献２】特開平９−２３１６１８号公報
【発明の開示】
【発明が解決しようとする課題】
【０００６】
ところで、上述の特許文献１及び特許文献２の提案によれば、可視情報として光ディスクのラベル面に情報を付与することができるが、あらかじめ光ディスクに書き込まれている情報であり、ユーザの希望する独自の情報を書き込むことはできず、利便性よくないという問題があった。
【０００７】
また、光ディスクのラベルを印刷する場合、光ディスク再生装置あるいは記録装置とは別途光ディスクのラベル印刷機能を有したプリンタを用意しなければならないという問題があった。
【０００８】
本発明は、以上の点に鑑みなされたもので、光ディスク再生装置あるいは記録装置の光ピックアップのレーザ光を用いて、ユーザが任意に可視情報を光ディスクのラベル面に描画することのできる光ディスクのラベル描画システムを提供することを目的とする。
【課題を解決するための手段】
【０００９】
本発明は、上記課題を解決するために、以下に記載手段よりなる。
すなわち、
光ディスク記録再生装置の光ピックアップのレーザ光と、光ディスクのラベル面に光または熱で変色する薬剤で全面塗布した光ディスクとを用いて、前記光ディスクのラベル面に可視情報を描画するようにした光ディスクのラベル描画システムであって、
前記光ディスクを前記光ディスク記録再生装置に挿入した際、挿入された前記光ディスクの裏表を判別するための光ディスク表裏検出部と、
前記光ディスクのラベルに描画する情報を入力するためのラベル入力部と、
前記ラベル入力部により入力された情報を前記光ディスクの回転に同期した信号に整えるための制御手段と、
前記制御手段により得られた情報を前記光ピックアップに供給するための描画回路と、
を少なくとも有し、
前記光ディスク表裏検出部により前記光ディスクがラベル面であると検出された際には、前記ラベル入力部により入力された情報を前記制御手段と描画回路とにより前記前記光ディスクのラベル面に可視情報を描画するようにしたことを特徴とする光ディスクのラベル描画システム。
【発明の効果】
【００１０】
本発明の「光ディスクのラベル描画システム」によれば、光ディスクのラベル面に光ディスク記録再生装置を用いて可視情報を描画することが可能な光ディスクのラベル描画システムを提供することができる。その際、プリンタなどの光ディスク記録再生装置以外の設備を用いることなく光ディスクのラベル面に可視情報を描画することが可能でありユーザの利便性が高い光ディスクのラベル描画システムを提供することができる。
また、描画の色、解像度、文字形状よ図形の形状を特殊にすることにより偽造防止効果の高い光ディスクを作成することができるという効果がある。
【発明を実施するための最良の形態】
【００１１】
以下、本発明に係る光ディスクのラベル描画システムの発明を実施するための最良の形態につき、好ましい実施例により説明する。
通常、光ディスクプレーヤやレコーダは、光ディスクを裏返しにセットするとエラーを起こし、光ディスクの吐き出し等を行うような商品もある。つまり、ラベル面にピックアップが当たるように光ディスクをセットしても何も行われない。そこで、本発明では、この場合でも、ピックアップのレーザー光を発光させ、ラベル面をスキャンすることを自動またはスイッチで行うようにしたものである。さらに、レーザー光のオンオフで、任意の図形を描画できるようにしたものである。図２は、波線がレーザー光オフで変色無し、実線がレーザー光オンで変色有りとなり、星形を描画した例である。
図形データは、後述のようにあらかじめ光ディスクプレーヤやレコーダに格納したり、メモリカードのようなもので与える構成としてもよい。
【００１２】
図１は本実施例に適用される光ディスク記録再生装置の記録再生信号に係る構成部を示した概略ブロック図である。
同図に示すように光ディスク記録再生装置１０は、光ディスク１１、光ピックアップ１２、光ディスク表裏検出部１３、再生回路１４、記録回路１５、描画回路１６、信号処理部１７、ラベル入力部１８、システムコントローラ１９から構成されている。
【００１３】
まず、光ディスク記録再生装置１０に光ディスクが挿入されると、光ディスク表裏検出部１３にて光ディスクの表裏を判別し、光ディスク面であればシステムコントローラ１９により光ディスク再生回路１４、記録回路１５、信号処理部１７を稼働させ、光ピックアップ１２から得られた信号を映像信号または音声信号その両方を再生し、あるいは入力された映像信号または音声信号その両方を光ピックアップ１２に供給して通常の光ディスク記録再生装置として機能するようにする。
【００１４】
光ディスク表裏検出部１３にて光ディスクの表裏を判別し、ラベル面であればシステムコントローラ１９により光ディスク描画回路１６を稼働させるようにする。ユーザによりラベル入力部１８を操作してＴＥＸＴを入力するか、あるいはあらかじめシステムコントローラ１９にキャラクタを用意しておきそれらを選択するようにしてもよい。
ラベル入力部１８において決定されたラベル描画信号は、システムコントローラ１９により光ディスク１１の回転に同期した信号に整えられた後、描画回路１６によりラベル描画に適したレベルにして光ピックアップ１２に供給される。
【００１５】
図３に本実施例に適用される光ディスクの一例を示す。描画される光ディスク１１側においては、光ディスク１１のラベル面には、あらかじめ感光作用のある塗料が塗布されている。この感光塗料は、感光紙のような銀塩を用いたものが挙げられるが、常光時では無反応であり、強い光、ここでは光ディスクプレーヤやレコーダのピックアップのレーザー光に反応し、変色するものを選択する。
または、感熱紙のような熱で変色する感熱塗料を塗布してもよい。その感熱物質は、光ディスクプレーヤやレコーダのピックアップのレーザー光が当たった場所に発生する熱で反応するものを選択するようにする。
【００１６】
また、感光塗料または感熱塗料は、光ディスクラベル面全面に塗布する代わりに、その塗料であらかじめ描画してもよい。例えば、そのような塗料で印刷できるプリンタで無地ラベルの光ディスクに印刷する。その場合は、レーザー光オンの状態で全面をスキャンすれば、描画部分のみが変色し、描画されるようになる。
【００１７】
この場合、光ディスク１１は通常のプリンタブルＣＤＲ等も使用可能となるので、光ディスク１１に識別加工のないものも対象になる場合が生じる。そこで、一定量のラベル面スキャンを２度行い、１度目と２度目の光ピックアップの受光信号が変化するかどうかで、描画処理が行われたかどうかを判別するようにしてもよい。
【００１８】
光ディスク描画回路１６によるラベル面スキャンは、スイッチで任意に行う場合は問題ないが、自動で行う場合は、通常の光ディスクを裏返しに入れた場合にもラベル面スキャンを行ってしまう。そのような間違いを起こさないため、感光作用または感熱作用のある塗料を塗布したディスクにあらかじめ識別の加工を施すことも考えられる。例えば、図４のようにある円周上の一部に鏡面状の反射効果のある加工を施し、光ピックアップで検出できるようにしてもよい。
【００１９】
なお、上述の光ディスク記録再生装置では、光ディスクの表裏検出部を設けたが、光ピックアップからの無信号検出を光ディスクラベル面検出に用いるよう構成してもよい。
また、上述の光ディスクのラベル描画システムにおいては、あらかじめ光または熱で変色する薬剤を光ディスクのラベル面に塗布した光ディスクを用意することが必要であるが、光ディスク記録再生装置に光または熱で変色する薬剤を光ディスクのラベル面に印刷する装置を備えるよう構成してもよい。
【図面の簡単な説明】
【００２０】
【図１】本実施例に適用される光ディスク記録再生装置の記録再生信号に係る構成部を示した概略ブロック図である。
【図２】本実施例に適用される描画回路によって光ディスクのラベル面に図形を描画した例である。
【図３】本実施例に適用される光ディスクの一例を示した図である。
【図４】本実施例に適用される光ディスクの一例を示した図であり、光ディスクの円周上の一部に鏡面状の加工を施した例である。
【符号の説明】
【００２１】
１０…光ディスク記録再生装置
１１…光ディスク
１２…光ピックアップ
１３…光ディスク表裏検出部
１４…再生回路
１５…記録回路
１６…描画回路
１７…信号処理部
１８…ラベル入力部
１９…システムコントローラ
【図１】
2005339748.tif 000003
【図２】
2005339748.tif 000004
【図３】
2005339748.tif 000005
【図４】
2005339748.tif 000006